(57)【要約】【課題】  事前の手作業によるスキル情報の登録を必要としないスキル情報の収集方法を提供すること。【解決手段】  クライアント自身で当該クライアントが保有しているファイルを解析し、該ファイルのアイテムセットを作成し、第１のデータベースに格納する第１のステップと、前記第１のステップで作成したアイテムセットからスキル検索のためのインデックスをサーバで作成し、第２のデータベースに格納する第２のステップとを備える。  前記第１のステップが、  アイテムセットを作成するファイルを指定する第１の段階と、指定されたファイルを解析してアイテムセットを作成する第２の段階と、指定されたファイルの関係者を特定する第３の段階とを備えることを特徴とする。【選択図】      図１
2005202812.tif 000002
【特許請求の範囲】
【請求項１】
個人のスキル情報を収集する方法であって、
クライアント自身で当該クライアントが保有しているファイルを解析し、該ファイルのアイテムセットを作成し、第１のデータベースに格納する第１のステップと、
前記第１のステップで作成したアイテムセットからスキル検索のためのインデックスをサーバで作成し、第２のデータベースに格納する第２のステップと
を備えることを特徴とするスキル情報の収集方法。
【請求項２】
前記第１のステップが、
アイテムセットを作成するファイルを指定する第１の段階と、
指定されたファイルを解析してアイテムセットを作成する第２の段階と、
指定されたファイルの関係者を特定する第３の段階と
を備えることを特徴とする請求項１に記載のスキル情報の収集方法。
【請求項３】
前記第１の段階が、
個人のスキル情報を収集するファイルを、格納場所、作成者、拡張子などの指定情報により指定する段階を備えることを特徴とする請求項２に記載のスキル情報の収集方法。
【請求項４】
前記第１の段階が、収集対象のファイルを第３者によって承認する段階を備えることを特徴とする請求項２または３に記載のスキル情報の収集方法。
【請求項５】
前記第２の段階が、
前記第１の段階で指定されたファイルを形態素解析して得られた名詞句及びそのファイルの作成者並びに所有者からなるアイテムセットを作成するものであることを特徴とする請求項２〜４のいずれか一項に記載のスキル情報の収集方法。
【請求項６】
前記第３の段階が、
前記第１の段階で指定されたファイル内に記述された個人名、電話番号、Ｅ−ｍａｉｌアドレスなどの情報及びこのファイルの作成者並びに所有者からこのファイルに関係する個人を特定するものであることを特徴とする請求項２〜５のいずれか一項に記載のスキル情報の収集方法。
【請求項７】
前記第２のステップが、
クライアントに対し特定の個人とスキルとを含む頻出アイテムセットの作成を指示する第１の段階と、
頻出アイテムセットの作成を指示されたクライアントが他のクライアントから特定の個人とスキル項目とのアイテムセットあるいは頻出アイテムセットを取得する第２の段階と、
収集したアイテムセットから頻出アイテムセットを抽出する第３の段階と
を備えることを特徴とする請求項１に記載のスキル情報の収集方法。
【請求項８】
請求項７に記載の第１の段階が、
個人のスキルを特定可能なファイルを保持している、その個人が通常使用しているクライアントに対して、その個人とスキルとを含む頻出アイテムセットの作成を指示するものであることを特徴とする請求項７に記載のスキル情報の収集方法。
【請求項９】
請求項７に記載の第２の段階が、
頻出アイテムセットの作成を指示されたクライアントと同一グループ内にあるクライアントが保持している特定の個人を含むアイテムセットの集合を１つあるいは複数のクライアントに集めるものであることを特徴とする請求項７または８に記載のスキル情報の収集方法。
【請求項１０】
請求項７に記載の第２の段階が、
個人のスキルを特定するファイルの関係者から、その関係者が通常使用しているクライアントを特定する段階を備えることを特徴とする請求項７〜９のいずれか一項に記載のスキル情報の収集方法。
【請求項１１】
請求項７に記載の第２の段階が、
個人のスキルを特定するファイルの関係者のうち、対象となっている個人とは別のグループに属する関係者の通常使用しているクライアントに対して、その個人とスキルとを含む頻出アイテムセットの作成を指示する段階を含むことを特徴とする請求項７〜１０のいずれか一項に記載のスキル情報の収集方法。
【発明の詳細な説明】
【技術分野】
【０００１】
本発明は、分散システム環境の各クライアントが保有するファイルの情報を利用して各クライアントを使用している個人のスキル情報を収集し、かつ問い合わせに応じて検索する方法に関するものである。
【背景技術】
【０００２】
従来、個人のスキルを登録し、公開するスキル検索技術として、例えば、下記特許文献１に記載のものが知られている。
下記特許文献１に記載のものは、各部署で独自に運営する検索サーバが、事前に登録されたスキル情報をもとに、受け付けられた質問事項に答えることができる適当なスキル保持者を検索し、そのスキル保持者に回答依頼を斡旋するものである。
【０００３】
【特許文献１】特開２００２−１４９９２４号公報
【発明の開示】
【発明が解決しようとする課題】
【０００４】
しかしながら、上記特許文献１に記載の技術は、事前に各個人のスキル情報を手作業で登録することを前提としているために、その手間が大きく、スキルの更新が頻繁に行われず情報が古い、あるいは登録漏れが存在するという問題があった。
本発明の目的は、事前の手作業によるスキル情報の登録を必要としないスキル情報の収集方法を提供することにある。
【課題を解決するための手段】
【０００５】
上記目的を達成するために、本発明は、クライアント自身で当該クライアントが保有しているファイルを解析し、該ファイルのアイテムセットを作成し、第１のデータベースに格納する第１のステップと、前記第１のステップで作成したアイテムセットからスキル検索のためのインデックスをサーバで作成し、第２のデータベースに格納する第２のステップとを備えることを特徴とする。
また、前記第１のステップが、
アイテムセットを作成するファイルを指定する第１の段階と、指定されたファイルを解析してアイテムセットを作成する第２の段階と、指定されたファイルの関係者を特定する第３の段階とを備えることを特徴とする。
また、前記第１の段階が、
個人のスキル情報を収集するファイルを、格納場所、作成者、拡張子などの指定情報により指定する段階を備えることを特徴とする。
また、前記第１の段階が、
収集対象のファイルを第３者によって承認する段階を備えることを特徴とする。
また、前記第２の段階が、
前記第１の段階で指定されたファイルを形態素解析して得られた名詞句及びそのファイルの作成者並びに所有者からなるアイテムセットを作成するものであることを特徴とする。
また、前記第３の段階が、
前記第１の段階で指定されたファイル内に記述された個人名、電話番号、Ｅ−ｍａｉｌアドレスなどの情報及びこのファイルの作成者並びに所有者からこのファイルに関係する個人を特定するものであることを特徴とする。
また、前記第２のステップが、
クライアントに対し特定の個人とスキルとを含む頻出アイテムセットの作成を指示する第１の段階と、頻出アイテムセットの作成を指示されたクライアントが他のクライアントから特定の個人とスキル項目とのアイテムセットあるいは頻出アイテムセットを取得する第２の段階と、収集したアイテムセットから頻出アイテムセットを抽出する第３の段階とを備えることを特徴とする。
また、前記頻出アイテムセットの作成を指示する第１の段階が、
個人のスキルを特定可能なファイルを保持している、その個人が通常使用しているクライアントに対して、その個人とスキルとを含む頻出アイテムセットの作成を指示するものであることを特徴とする。
また、頻出アイテムセットを取得する第２の段階が、
頻出アイテムセットの作成を指示されたクライアントと同一グループ内にあるクライアントが保持している特定の個人を含むアイテムセットの集合を１つあるいは複数のクライアントに集めるものであることを特徴とする。
また、頻出アイテムセットを取得する第２の段階が、
個人のスキルを特定するファイルの関係者から、その関係者が通常使用しているクライアントを特定する段階を備えることを特徴とする。
頻出アイテムセットを取得する第２の段階が、
個人のスキルを特定するファイルの関係者のうち、対象となっている個人とは別のグループに属する関係者の通常使用しているクライアントに対して、その個人とスキルとを含む頻出アイテムセットの作成を指示する段階を含むことを特徴とする。
【発明の効果】
【０００６】
本発明によれば、個人が作成あるいは所有しているファイルから、その個人のスキル情報を収集するので、手作業によるスキル情報の登録が不要であり、スキル登録の負担をなくすことができる。
【発明を実施するための最良の形態】
【０００７】
以下、本発明を実施する場合の一形態を、図面を参照して具体的に説明する。
図１は、本発明の実施の一形態のスキル検索システムの構成を示す構成図である。
本スキル検索システムは、特に企業内での利用を前提としており、図１に示すように、スキルと個人（従業員）との関係を表現するインデックスの作成及びスキル検索に関わる問い合わせを行う複数のクライアント１１１〜１２２と、各クライアントに対するインデックスの作成指示及びスキル検索に関する問い合わせに対する応答を行う検索サーバ１００から構成される。
なお、ここでは各クライアント１１１〜１２２は部署毎（またはグループ毎）に管理されているものとする。
図１の例では、クライアント１１１、１１２が部署Ａに属し、クライアント１２１、１２２が部署Ｂに属していることを表現している。
【０００８】
図２は、検索サーバ１００のインデックス作成指示及びスキル検索機能を説明するためのブロック図である。
検索サーバ１００は、クライアント１１１〜１２２との通信を行う通信部２０１、従業員の情報が記憶された従業員ＤＢ２０２、スキル検索のためのインデックスが記憶されたインデックスＤＢ２０３と各部の制御を行う制御部２１０から構成されている。
制御部２１０は、通信部２０１を制御し、受信データの解析や送信データの生成を行う通信制御部２１１、通信部２０１を通してクライアント１１１〜１２２にインデックスの作成を指示するインデックス作成指示部２１２、クライアント１１１〜１２２からのスキル検索に関する問い合わせに応じるスキル検索部２１３から構成される。
【０００９】
図３は、従業員ＤＢ２０２のデータ構造の例を説明する図である。
従業員ＤＢ２０２には、各従業員に関する情報、すなわち従業員番号３０１、従業員の氏名３０２、所属している部署３０３、その従業員が通常使用しているクライアント３０４、Ｅ−ｍａｉｌアドレス３０５、電話番号３０６、またこの従業員が公開したスキル検索用のファイルを承認する承認者３０７などから構成される。
【００１０】
図４は、インデックスＤＢ２０３のデータ構造の例を説明する図である。
インデックスＤＢ２０３は、従業員４１０とスキル４３０とから構成されている。
従業員４１０は、従業員を特定する従業員番号４１１とその従業員が持つ複数のスキル４２０から構成され、スキル４２０はスキルを具体的に特定するスキル項目４２１と、その従業員がこのスキルを有する支持度４２２から構成される。
また、スキル４３０は、スキル項目４３１とそのスキルを有する複数の従業員４４０から構成され、従業員４４０は従業員を特定する従業員番号４４１とこの従業員がそのスキルを有する支持度４４２から構成される。
【００１１】
図５は、クライアント１１１〜１２２のインデックス作成及びスキル検索機能を説明するためのブロック図である。
各クライアントは、検索サーバ１００との通信を行う通信部５０１、キーボードやマウスなどの情報を入力する入力部５０２、ディスプレイやプリンタなどの情報を表示・出力する出力部５０３、複数のファイルを保持するファイルシステム５０４、各ファイルのアイテムセットを保持するアイテムセットＤＢ５０５、各部を制御する制御部５１０から構成される。
制御部５１０は、通信部５０１を通して受信したデータの解析や送信するデータの生成を行う通信制御部５１１、入力部５０２を制御する入力制御部５１２、出力部５０３を制御する出力制御部５１３、アイテムセットを作成するアイテムセット作成部５１４、アイテムセットから事前に設定した最小支持度を超える頻出アイテムセットを抽出する頻出アイテム抽出部５１５から構成される。
【００１２】
図６は、アイテムセットＤＢ５０５のデータ構造の例を説明する図である。
アイテムセットＤＢ５０５には、ファイルシステム５０４においてスキル検索用に指定されたファイルを構文解析して得られた名詞句の集合、そのファイルの作成者、所有者（所有者の意味については、後で説明する。）からなるアイテムセット６０１と、そのファイルに関連している関係者６０２が保持されている。
ここで関係者とは、そのファイルに何らかの形で係わっている人で、例えばファイルの作成者、文書中に出現する人物、または、ファイルがＥ−ｍａｉｌであるならば、送信者が該当する。
次に、本発明のスキル検索システムの動作について説明する。
このスキル検索システムは、（１）アイテムセット作成、（２）インデックス作成、（３）スキル検索の３つの段階から構成されている。
最初に、本システムにおける第一段階であるアイテムセット作成時のクライアント１１１〜１２２の動作について図７のフローチャートに基づいて説明する。
この段階では、各クライアント１１１〜１２２が、ファイルシステム５０４内の指定されたファイルからアイテムセットを作成し、アイテムセットＤＢ５０５に保存する。
まず、ステップ７０１では、従業員自身が通常利用しているクライアントで、アイテムセットを作成するファイルの条件を指定する。このファイルは、スキル検索にとって有益である自分のスキルを証明することができるファイルである必要がある。
図８に、従業員がファイル条件を指定するときのクライアントのスキル検索用ファイル指定画面８００を示す。このスキル検索用ファイル指定画面８００は、ファイルシステム５０４のディレクトリ構造を表示し目的のファイルを含むフォルダを指定することができるフォルダ指定部８１０と、指定したフォルダ内のファイルを拡張子や作成者などの条件を付けて絞り込むための設定を行うファイルフィルタ部８２０から構成されている。
【００１３】
従業員は、この画面上で入力部５０２を通して、チェックボックス８１１、８２１にチックをすることで、アイテムセットを作成するファイルの条件（フォルダ、拡張子、作成者など）を設定する。そしてクライアントの入力制御部５１２が、従業員からの入力情報を処理し、ファイルの条件を取得する。
ステップ７０２では、承認者のクライアントが、ステップ７０１で従業員の指定したファイルを承認する。従業員が指定したファイルは、あくまでも従業員本人の主観によるもので、第三者から見て本人のスキルとして適切でないファイルである可能性がある。そこで、検索サーバ１００の従業員ＤＢ２０２の承認者３０７に登録された承認者は、従業員が指定したファイルがスキルとして適切か判断し、ファイルを承認する。
【００１４】
図１２に、承認者がファイルを承認するときのクライアントのスキル検索用ファイル承認画面１２００の例を示す。
このスキル検索用ファイル承認画面１２００は、承認対象者の従業員を指定する従業員指定部１２１０、指定した従業員が指定したフォルダ及びファイルの一覧を表示し、承認者が承認するフォルダ及びファイルを指定するファイル指定部１２２０、ファイル指定部１２２０で指定したファイルを承認する承認ボタン１２３０から構成されている。
承認者が従業員指定部１２１０で従業員を選択すると、承認者のクライアントはその従業員が指定したフォルダ及びフォルダの一覧をファイル指定部１２２０に表示する。承認者は、必要に応じてファイル名１２２２を選択することでビューアー１２４０にファイルの内容を表示して確認し、チェックボックス１２２１を選択することによって従業員のスキルとして適切なファイルを選択する。さらに、承認者によって承認ボタン１２３０が押されると、その従業員のクライアントに、ファイル指定部１２２０で指定されたファイルが承認済みとして登録される。
【００１５】
ステップ７０３では、アイテムセット作成部５１４がファイルシステム５０４を参照して、まだアイテムセットを作成していないファイルでかつ、ステップ７０２で承認されたファイルが存在するか判定する。存在する場合は、ステップ７０４を実行し、存在しない場合はステップ７０６を実行し、アイテムセットの作成を終了する。
ステップ７０４では、アイテムセット作成部５１４がファイルシステム５０４から条件を満たすファイルを読み込む。
ステップ７０５では、アイテムセット作成部５１４がステップ７０４で取得したファイルを形態素解析し、解析して得られた複数の名詞句のセット及び、普段このクライアントを利用しアイテムセット作成するファイルを指定した従業員（以降、このファイルの所有者と呼ぶ）並びに、このファイルの作成者からなるアイテムセット６０１および関係者６０２の集合を作成し、アイテムセットＤＢ５０５にこれら情報を追加する。
以上で、第１段階であるアイテムセットの作成が完了する。
【００１６】
次に、本発明のスキル検索システムの第２段階であるインデックス作成時の検索サーバ１００とクライアント間の動作を図９のシーケンス図を基に説明する。
この段階では、検索サーバ１００が各クライアント１１１〜１２２に指示して、従業員とスキルとの関係を含む頻出アイテムセットを作成させ、この頻出アイテムセットからスキル検索用のインデックスを作成しインデックスＤＢ２０３に保存する。
ここで、頻出アイテムセットとは事前に設定された最小支持度以上のアイテムセットである。また、検索サーバ１００は、従業員ＤＢ２０２に保持しているすべての従業員について、そのスキルを収集するが、ここでは、１人の従業員「ＸＸＸＸＸＸ」のスキルを収集する手順について説明する。すべての従業員について収集するには、この手順を従業員の数だけ繰り返せばよい。
まず、ステップ９０１では、検索サーバ１００のインデックス作成指示部２１２が従業員ＤＢ２０２を参照し、従業員３０２の「ＸＸＸＸＸ」が使用しているクライアント３０４（クライアントＡ１（１１１））を検索し、通信制御部２１１を通してクライアントＡ１（１１１）に頻出アイテムセット要求を行う。
ステップ９０２では、検索サーバ１００からの頻出アイテムセット要求を受信したクライアントＡ１が、同一部署(部署Ａ)内の他のクライアント（クライアントＡ２など）に、従業員「ＸＸＸＸＸ」を含む頻出アイテムセットの要求を行う。
ステップ９０３では、クライアントＡ１からのアイテムセット要求を受信したクライアント（クライアントＡ２など）は、自身のアイテムセットＤＢ５０５を参照し、関係者６０２に従業員「ＸＸＸＸＸ」が含まれているアイテムセットをクライアントＡ１に送信する。
【００１７】
ステップ９０４では、クライアントＡ１のアイテムセット作成部５１４がアイテムセットＤＢ５０５を参照し、関係者６０２が使用しているクライアントの情報を検索サーバ１００に要求する。ここでは、図６の例にある関係者「ＺＺＺＺ」の使用しているクライアントの情報を要求するものとする。
ステップ９０５では、検索サーバ１００のインデックス作成指示部２１２が、従業員ＤＢ２０２を参照して、要求された従業員「ＺＺＺＺ」の使用しているクライアントの情報３０４（クライアントＢ１（１２１））をクライアントＡ１に送信する。
ステップ９０６では、クライアントＡ１が、取得した従業員「ＺＺＺＺ」の使用しているクライアントＢ１に対して、従業員「ＸＸＸＸＸ」を含む頻出アイテムセットの要求を行う。
ステップ９０７では、頻出アイテムセットの要求を受信したクライアントＢ１は、同一部署(部署Ｂ)内の他クライアント（クライアントＢ２(１２２)など）に対して、従業員「ＸＸＸＸＸＸ」を含むアイテムセットの要求を行う。
ステップ９０８では、アイテムセットの要求を受信したクライアント（Ｂ２など）は、アイテムセットＤＢ５０５を参照して、関係者６０２に従業員「ＸＸＸＸＸ」が含まれるアイテムセット６０１をクライアントＢ１に送信する。
ステップ９０９では、クライアントＢ１の頻出アイテム抽出部５１５が、アイテムセットＤＢ５０５とステップ９０８で取得したアイテムセットとを加えたアイテムセットの集合から、従業員「ＸＸＸＸＸ」が含まれるアイテムセットの支持度を計算し、事前に設定された最小支持度を超える頻出アイテムセットを抽出する。
【００１８】
ステップ９１０では、ステップ９０９と並行して、クライアントＡ１の頻出アイテム抽出部５１５が、アイテムセットＤＢ５０５とステップ９０３で取得したアイテムセットとを加えたアイテムセットの集合から、従業員「ＸＸＸＸＸ」が含まれるアイテムセットの支持度を計算し、事前に設定された最小支持度を超える頻出アイテムセットを抽出する。
ステップ９１１では、クライアントＢ１が、ステップ９０９で得られた頻出アイテムセットをクライアントＡ１に送信する。
ステップ９１２では、クライアントＡ１の頻出アイテム抽出部５１５が、ステップ９１０とステップ９１１で得られた頻出アイテムセットの集合を合わせ、各アイテムセットの支持度を計算し直す。
ステップ９１３では、クライアントＡ１が、ステップ９１２で得られた頻出アイテムセットの集合と各アイテムセットの支持度を検索サーバ１００に送信する。
これらを受信した変換サーバ１００は、これらを図４に示したデータ構造に従いインデックスＤＢ２０３に保存する。
以上で、第２段階であるインデックスの作成が完了する。
【００１９】
次に、本発明のスキル検索システムの第３段階であるスキル検索について説明する。
図１０及び図１１は、スキル検索時におけるクライアントのスキル検索画面１１００の例である。
スキル検索画面１１００は、検索キーを入力する検索キー入力画面１０１０、検索結果を表示する検索結果表示画面１０２０から構成される。
検索キー入力画面１０１０において検索キーが入力されると、クライアントは、スキル検索サーバ１００に問い合わせる。
例えばクライアントＡ２においてスキル検索画面１１００を表示させ、検索キー入力画面１０１０で従業員番号「０００００１」、またはスキル「ＸＭＬ」を検索キーとして入力すると、クライアントＡ２は入力された検索キーを検索サーバ１００に送信する。
スキル検索サーバ１００のスキル検索部２１３は、インデックスＤＢ２０３を参照して、検索キーに対する検索結果を取得して、クライアントＡ２に送信する。検索結果を取得したクライアントＡ２は、検索結果表示画面１０２０に検索結果を表示する。
【００２０】
図１０は、検索キーとして従業員番号「０００００１」が入力されたときの検索結果出力画面１０２０の例を示している。検索結果表示部１０２０には、従業員番号「０００００１」のスキル一覧が表示されている。ここでの例では、従業員番号「０００００１」、氏名「ＸＸＸＸＸ」が持つスキルとして「ＸＭＬ」、「Ｗｅｂサービス」、「ネットワーク」が、各スキルの支持度とともに表示されている。
図１１は、検索キーとしてスキル「ＸＭＬ」が入力されたときの検索結果の画面例を示している。検索結果表示部１０２０には、「ＸＭＬ」のスキルを持つ従業員の一覧が表示されている。
以上で、第３段階であるスキル検索が完了する。
以上のように本実施形態においては、分散システム環境で各クライアントが保有しているファイルを解析し、そのファイル中に頻出する情報を、そのクライアントを使用している従業員のスキル情報として収集して検索用のインデックスＤＢ２０３に保持するようにしたため、手作業によって従業員のスキル情報を登録する作業が不要になる。
また、収集に際し、同一部署の他の従業員や関係者との関係も調査しているため、収集されるスキル情報の精度が高くなるという利点がある。
さらに、第３者の承認者によって承認されたファイルを対象にしてスキルを収集するため、客観的なスキル情報を収集することができる。
【００２１】
なお、クライアントのアイテムセット作成部５１４や頻出アイテム抽出部５１５は既存のクライアントにインストールして実行可能なプログラムとして提供することができる。
また、検索サーバのインデックス作成指示部２１２やスキル検索部２１３も既存のサーバにインストールして実行可能なプログラムとして提供することができる。
また、アイテムセットの作成および頻出アイテムの抽出処理は各クライアントで実施するようにしているが、専用のクライアントまたはサーバで実施するように構成することもできる。
【図面の簡単な説明】
【００２２】
【図１】本発明の一実施の形態のスキル検索システムの概略構成を示す構成図である。
【図２】スキル検索サーバのインデックス作成指示及びスキル検索機能を説明するブロック図である。
【図３】スキル検索サーバの従業員ＤＢのデータ構造を説明するための説明図である。
【図４】スキル検索サーバのインデックスＤＢのデータ構造を説明するための説明図である。
【図５】クライアントのインデックス作成及びスキル検索機能を説明するブロック図である。
【図６】クライアントのアイテムセットＤＢのデータ構造を説明するための説明図である。
【図７】スキル検索に利用するファイルを指定するときのクライアントの画面例である。
【図８】アイテムセット作成時のクライアントの動作を説明するフローチャートである。
【図９】インデックス作成時の検索サーバ、クライアント間の連携を説明するシーケンス図である。
【図１０】従業員番号を検索キーとしたスキル検索時のクライアントの画面例である。
【図１１】スキルを検索キーとしたスキル検索時のクライアント画面例である。
【図１２】従業員によってスキル検索用に指定されたファイルを承認するときのクライアントの画面例である。
【符号の説明】
【００２３】
１００…検索サーバ
１１１〜１２２…クライアント
２０２…検索サーバの従業員ＤＢ
２０３…検索サーバのインデックスＤＢ
２１２…検索サーバのインデックス作成指示部
２１３…検索サーバのスキル検索部
５０４…クライアントのファイルシステム
５０５…クライアントのアイテムセットＤＢ
５１４…アイテムセット作成部
５１５…頻出アイテム抽出部
【図１】
2005202812.tif 000003
【図２】
2005202812.tif 000004
【図３】
2005202812.tif 000005
【図４】
2005202812.tif 000006
【図５】
2005202812.tif 000007
【図６】
2005202812.tif 000008
【図７】
2005202812.tif 000009
【図８】
2005202812.tif 000010
【図９】
2005202812.tif 000011
【図１０】
2005202812.tif 000012
【図１１】
2005202812.tif 000013
【図１２】
2005202812.tif 000014